(57)【特許請求の範囲】
【請求項１】
プレートがその外周面部に巻き付けられるドラムと、前記プレートに画像記録を行う記録ヘッドと、を備えた画像記録装置であって、前記ドラムには、前記ドラムの外周面部上に固定され前記プレートの一端部を固定する第１のプレート固定部材と、前記ドラムの外周面部上の任意の位置に移動し前記プレートの他端部を前記任意の位置で固定する第２のプレート固定部材と、を備えたことを特徴とする画像記録装置。
【請求項２】
プレートがその外周面部に巻き付けられるドラムと、前記プレートに画像記録を行う記録ヘッドと、を備えた画像記録装置であって、前記ドラムには、前記ドラムの外周面部上に固定され前記プレートの一端部を保持する第１のプレート固定部材と、前記ドラムの両側に前記ドラムの回転軸を軸として回転可能に取り付けられた回転部材と、前記回転部材に取り付けられた、第２のプレート固定部材と、を備え、前記回転部材を回転させて、前記第２のプレート固定部材を前記ドラムの外周面部上の任意の位置に移動し、前記プレートの他端部を前記任意の位置で固定することを特徴とする画像記録装置。
【請求項３】
前記ドラムの内側に、前記ドラムと一体として備えた第１の歯車を備え、かつ、前記回転部材に、前記第１の歯車に常に噛合する一対の第２の歯車と、前記第２の歯車に挟み込まれると共に前記第２の歯車に常に噛合する第３の歯車と、前記第３の歯車を前記第１の歯車へ噛合させる噛合手段とを備えたことを特徴とする請求項２記載の画像記録装置。
【請求項４】
前記第１の歯車は内歯車であることを特徴とする請求項３記載の画像記録装置。
【請求項５】
前記一対の第２の歯車は、歯数および径が互いに同じであり、かつ前記第３の歯車より歯数が少なく、径は小さいことを特徴とする請求項３記載の画像記録装置。
【請求項６】
外周面部上にプレートが保持されるドラムであって、前記ドラムの外周面部上に固定され前記プレートの一端部を固定する第１のプレート固定部材と、前記ドラムの外周面部上の任意の位置に移動し前記プレートの他端部を前記任意の位置で固定する第２のプレート固定部材と、を備えたことを特徴とするドラム。
【発明の詳細な説明】
【０００１】
【発明の属する技術分野】
本発明は、記録媒体であるプレートを巻き付けて固定するドラムを有する画像記録装置に関する。
【０００２】
【従来の技術】
従来、表面に感材をコーディングしたアルミプレートを外周面部に巻き付けて固定したドラムを回転し、このプレートにレーザー光を照射して画像記録（露光）する装置がある。
【０００３】
このような画像記録装置のドラムは高速で回転する。また、プレートは、ある程度の重さがありかつ弾性が大きい。このため、動作中にプレートがドラムからずれて記録不良を生じたり、最悪の場合、プレートがドラムから剥がれて飛び出す可能性がある。
【０００４】
上記問題を解決するために、従来の画像記録装置では、プレートの先端部および後端部をプレート固定部材でドラムの外周面部に固定すると共に、プレートをドラムの外周面部に溝を形成し、この溝内をポンプで吸引することで、プレートをドラムの外周面部に吸着してプレートをドラムに確実に装着している。
【０００５】
【発明が解決しようとする課題】
しかしながら、従来の画像記録装置は、プレート固定部材をドラムに固定していたため、一つのサイズのプレートにしか対応していない。
【０００６】
また、プレート固定部材を複数のプレートサイズに合わせて複数設けることも考えられる。しかし、プレートのサイズは数十種類におよぶため、プレート固定部材を数十種類のサイズのプレートに対応して複数設ける必要がある。このため、画像記録装置の構成が複雑にかつ大きくなる。この結果、ドラムを高速に回転すると負担がかかるという問題がある。
【０００７】
本発明は、かかる点に鑑みてなされたものであり、簡単な構成のプレート固定部材でドラムに複数のサイズのプレートを確実に装着できる画像記録装置を提供することを目的とする。
【０００８】
【課題を解決するための手段】
本発明の画像記録装置は、ドラムの外周面部に設けたプレートの一端部および他端部を夫々ドラムに固定する一対のプレート固定部材と、ドラムの両側面部にドラムの回転軸を軸として回転可能に設けた一方のプレート固定部材を保持する保持部材と、を設け、一方の保持部材を回転することにより、プレート固定部材をドラム外周面部のプレートの端部の位置に対応する位置に動かす。
【０００９】
この構成により、プレート固定部材を、プレートの先端部もしくは後端部に対応して動かせるようにしたので、ドラムに複数のサイズのプレートを確実に固定できる。
【００１０】
【発明の実施の形態】
本発明の第１の態様にかかる画像記録装置は、プレートがその外周面部に巻き付けられるドラムと、前記プレートに画像記録を行う記録ヘッドと、を備えた画像記録装置であって、前記ドラムには、前記ドラムの外周面部上に固定され前記プレートの一端部を固定する第１のプレート固定部材と、前記ドラムの外周面部上の任意の位置に移動し前記プレートの他端部を前記任意の位置で固定する第２のプレート固定部材と、を備えた。
【００１１】
この構成により、第２のプレート固定部材をドラム外周面部上の任意の位置に移動できるようにしたので、プレート大きさに応じて第２のプレート固定部材を移動させて複数のサイズのプレートをドラムに固定させることができる。
【００１２】
本発明の第２の態様に係る画像記録装置は、プレートがその外周面部に巻き付けられるドラムと、前記プレートに画像記録を行う記録ヘッドと、を備えた画像記録装置であって、前記ドラムには、前記ドラムの外周面部上に固定され前記プレートの一端部を保持する第１のプレート固定部材と、前記ドラムの両側に前記ドラムの回転軸を軸として回転可能に取り付けられた回転部材と、前記回転部材に取り付けられた、第２のプレート固定部材と、を備え、前記回転部材を回転させて、前記第２のプレート固定部材を前記ドラムの外周面部上の任意の位置に移動し、前記プレートの他端部を前記任意の位置で固定する。
【００１３】
この構成により、ドラムと同軸上に回転自在に設けた回転部材に第２のプレート固定部材を設けたので、ドラムの外周面部上の任意の位置に第２のプレート固定部材を移動させる構成を簡単にすることができる。また、ドラム、或いは、回転部材のどちらか一方を回転させるだけで、第２のプレート固定部材をドラムの外周面部上の任意の位置に移動させることができる。
【００１４】
本発明の第３の態様は、第２の態様にかかる画像記録装置において、前記ドラムの内側に、前記ドラムと一体として備えた第１の歯車を備え、かつ、前記回転部材に、前記第１の歯車に常に噛合する一対の第２の歯車と、前記第２の歯車に挟み込まれると共に前記第２の歯車に常に噛合する第３の歯車と、前記第３の歯車を前記第１の歯車へ噛合させる噛合手段とを備えた。
【００１５】
この構成により、噛合手段によって第３の歯車が第１の歯車に噛合すると、第２の歯車と第１の歯車が第３の歯車をロックするようになるので、回転部材をドラムに対して任意の位置（角度）で容易にロックさせることができる。
【００１６】
本発明の第４の態様は、第３の態様に係る画像記録装置において、前記第１の歯車は内歯車である。
【００１７】
この構成により、第２の歯車と第３の歯車は、記録時の遠心力によりドラムに備えられた第３の歯車へより噛合するように力が作用するので、より確実に回転部材をロックすることができる。
【００１８】
本発明の第５の態様は、第３の態様に係る画像記録装置において、前記一対の第２の歯車は、前記第３の歯車より径が小さいことを特徴とするものである。
【００１９】
この構成により、第２の歯車の径は第３の歯車の径よりも小さいので、第２の歯車を大きく移動させることなく、第３の歯車を第１の歯車から離間させることができる。
【００２０】
本発明の第６の態様にかかるドラムは、外周面部上にプレートが保持されるドラムであって、前記ドラムの外周面部上に固定され前記プレートの一端部を固定する第１のプレート固定部材と、前記ドラムの外周面部上の任意の位置に移動し前記プレートの他端部を前記任意の位置で固定する第２のプレート固定部材と、を備えた。
【００２１】
この構成により、第２のプレート固定部材をドラム外周面部上の任意の位置に移動できるようにしたので、プレート大きさに応じて第２のプレート固定部材を移動させて複数のサイズのプレートをドラムに固定させることができる。
【００２２】
以下、本発明の一実施の形態について図面を用いて詳細に説明する。
【００２３】
図１は、本発明の一実施の形態にかかる画像記録装置を示す斜視図である。
【００２４】
画像記録装置１０１は、いわゆるダイレクト刷版と呼ばれる、感材を表面にコーディングしたアルミプレート（以下、単にプレートという）にレーザー光を照射することで露光し、画像記録するもの記録装置である。
【００２５】
ドラム１０２は、その外周面部にプレートを巻き付けて装着する。このドラム１０２を、保持台１０３の上で、一対の軸受け１０４ａ、１０４ｂにより回転可能に支持している。
【００２６】
このドラム１０２のドラム軸の一端部にモータ１０５（このモータはパルスモータである。）を連結している。また、ドラム軸の他端部に回転継手１０６を取り付けている。この回転継手１０６に負圧装置である吸引部１０７を複数の連結パイプ１０８を介して連結している。
【００２７】
一方、記録ヘッド１０９を、ドラム１０２の軸方向に沿って配設したリニアモータ１１０上に取り付けている。これにより、記録ヘッド１０９は、リニアモータ１１０によりドラム１０２に沿って走行する。また、制御部１１１は、画像記録装置１０１の各部分に対して制御信号を送り、各部分を制御する。この制御部１１１には操作部１１２を接続している。
【００２８】
図２は、上記実施の形態にかかる画像記録装置のドラムを示す斜視図である。
【００２９】
ドラム１０２は、プレートをその外周面部に巻き付けたときにプレートの一端部を固定するフロントクランプバー２０１と、プレートの他端部を固定するリアクランプバー２０２とを有する。
【００３０】
このリアクランプバー２０２の両端部に、一対のクランプ保持部材２０３を設けている。このクランプ保持部材２０３は、ドラム軸２０４を中心に回転する。クランプ保持部材２０３の回転に伴って、リアクランプバー２０２もドラム１０２の円周方向に沿って移動する。リアクランプバー２０２を移動することにより、異なるサイズのプレートをドラム１０２に巻き付けたときに固定することができる。図２中Ａで示す位置は、Ａ２サイズのプレートをドラム１０２に巻き付けた場合のプレートの位置である。図２中Ｂで示す位置は、Ｂ２サイズのプレートをドラム１０２に巻き付けた場合のプレートの位置である。また図２中Ｃで示す位置は、Ａ１サイズのプレートをドラム１０２に巻き付けた場合のプレートの位置である。さらに、図２中Ｄで示す位置は、Ｂ１サイズのプレートをドラム１０２に巻き付けた場合のプレートの位置である。
【００３１】
図に示すようにプレートはドラム１０２の長手方向の中心を基準としてプレートはドラムに巻き付けられる。また、点線で示したようにリアクランプバー２０２はドラム１０２の外周面部上を移動可能であり、Ａ〜Ｄのプレートの他端を保持する。
【００３２】
また、ここではリアクランプバー２０２が移動する構成を示したが、ドラム１０２を回転させるようにしてもよい。
【００３３】
図３は、上記実施の形態にかかるクランプ保持部材近傍を示す要部拡大図である。
【００３４】
図中２０３で示すクランプ保持部材は、底面が略円弧状をなした平板部材である。クランプ保持部材２０３の略中央部には、ドラム軸を挿入する略円形の開口部３０１を設けている。開口部３０１にドラム軸を挿入することで、クランプ保持部材２０３をドラム軸を中心に回転可能にドラムに取り付けている。
【００３５】
また、クランプ保持部材２０３の一端部には、突出片３０２を設けている。突出片３０２は取付け軸３０３を有する。この取付け軸３０３にリアクランプバー２０２を取付け軸３０３を中心に回動可能に取り付けている。リアクランプバー２０２の端部には、突起部３０４を設けている。一方、クランプ保持部材２０３の中央部近辺であって突起部３０４の略垂直下方には、突起部３０５を設けている。これらの突起部３０４、３０５は、スプリング３０６の端部を夫々係止している。スプリング３０６が通常の長さ、つまり伸びた状態でも縮んだ状態でもない状態で、リアクランプバー２０２がプレートをドラムに固定する状態になるように、突起部３０４、３０５を設けている。また、リアクランプバー２０２の端部には、操作板３０７を設けている。操作者が操作板３０７を手動で上下に操作することでリアクランプバー２０２を必要に応じて開閉できる。
【００３６】
また、クランプ保持部材２０３は、プレートをドラムに装着して回転した場合の振動の発生を防止するため、内角が略１８０度でありかつ厚みを有する円弧状の２つのバランスリング３０８、３０９をドラム側の側面部に設けている。また、２つのバランスリング３０８、３０９は、クランプ保持部材２０３のドラムと反対側の面部（以下、主面部という）上であって開口部３０１の中心にほぼ対称な位置に対向して設けている。さらに、クランプ保持部材２０３のリアクランプバー２０２が取り付けられた部分と反対側の端部には、ドラム軸を中心に回転した場合に振動の発生を防止するバランスウエイト３１０を取り付けている。
【００３７】
さらに、クランプ保持部材２０３の主面部には、作動板３１１を設けている。作動板３１１は、一端部が二股に分かれている。作動板３１１の二股に分かれた端部には、夫々一対の長円形状の穴部３１２、３１３を設けている。また、作動板３１１の他端部の略中央部にも、長円形状の穴部３１４を設けている。穴部３１２、３１３は、開口部３０１を挟んでほぼ対称な配置し、穴部３１２〜３１４に取付けネジ３１５〜３１７を螺合し、作動板３１１をクランプ保持部材２０３に取り付ける。また、穴部３１２〜３１４の長軸が開口部３０１の中心方向に沿うように形成している。これにより、作動板３１１は開口部３０１の中心方向に向かって可動する。
【００３８】
作動板３１１の中ほどには、３つの長円形状の穴部３１８〜３２０を設けている。穴部３１８、３２０は、お互いの長軸が開口部３０１に向かって開くように形成している。また、穴部３１９は、その長軸が開口部３０１の中心方向に沿うように形成している。これに対し、クランプ保持部材２０３には、穴部３１８〜３２０に合わせて穴部を夫々形成している。第１の外歯車３２１、第２の外歯車３２３、第３の外歯車３２２の軸部を、クランプ部材２０３のドラム側から穴部に挿入し、その先端部を作動板３１１の表面から突出させ、この先端部に抜止めを設けて、外歯車３２１〜３２３をクランプ部材２０３に回動自在に取り付けている。
【００３９】
第３の外歯車３２２の軸部には、略Ｖ字形状の歯車保持部材３２４を取り付けている。また、固定部材３２７，３２８を歯車保持部材３２４の端部に夫々形成した穴部を介して、作動板３１１に形成した一対の長円形状の穴部３２５、３２６に挿入する。こうすることにより、歯車保持部材３２４をクランプ保持部材２０３に取り付けている。ここで、穴部３２５、３２６の長軸の向きと、穴部３１２、３１３の長軸の向きとは同じになっている。これにより、作動板３１１が開口部３０１の中心方向に移動可能である。作動板３１１を動かすことにより、歯車保持部材３２４が連動して同じ方向に動き、さらにこれに伴って第３の外歯車３２２も同じ方向に動く。また、固定部材３２７、３２８とクランプ保持部材２０３との間には、スプリング３２９、３３０を歯車保持部材３２４の移動方向に沿って取り付けている。これらのスプリング３２９、３３０が歯車保持部材３２４に作用する外力を緩衝する。
【００４０】
また、第１の外歯車３２１および第２の外歯車３２３の軸部と固定部材３１７との間にも、スプリング３３１、３３２を穴部３１８、３１９の長軸方向に沿って取り付けている。これらのスプリング３３１、３３２が第１の外歯車３２１および第２の外歯車３２３に作用する外力を緩衝する。
【００４１】
また、ドラムの内周面のバランスリング３２９、３３０と対向する位置には、ドラム軸が中心となるように内歯車３３３を設けている。内歯車３３３は、厚みを有する円環形状になっている。
【００４２】
図４（ａ）は、上記実施の形態にかかるドラム端部の第１の状態をドラム側から見た要部拡大図である。図４（ｂ）は、上記実施の形態にかかるドラム端部の第２の状態をドラム側から見た要部拡大図である。
【００４３】
第１の外歯車３２１と第２の外歯車３２３とは同じ大きさの径を持っている。また、外歯車３２１〜３２３は平歯車であり、同一平面内に位置し互いに噛合している。さらに、第１の外歯車３２１および第２の外歯車３２３を、常に内歯車３３３に噛合するように配置している。
【００４４】
これに対して、第３の外歯車３２２は、第１の外歯車３２１および第２の外歯車３２３よりも大きい径を有する。これにより、第３の外歯車３２２は、第１の外歯車３２１または第２の外歯車３２３に対して常に噛合した状態で、内歯車３３３に対して容易に噛合したり、離れたりすることができる。また、第３の外歯車３２２は作動板３１１の動きに伴って開口部３０１の中心方向に移動可能になっている。これにより、作動板３１１を移動することにより、第３の外歯車３２２を内歯車３３３と噛合した状態（図４（ｂ）が示す状態）から、内歯車３３３から離れた状態（図４（ａ）が示す状態）に移動することができる。
【００４５】
次に、上記形態にかかるドラムにプレートを取り付ける際の画像記録装置の動作について説明する。
【００４６】
初期状態では、図４（ｂ）に示すように、外歯車３２１〜３２３は互いに噛合し、かつ、すべて内歯車３３３に噛合している。これにより、図２に示すクランプ保持部材２０３は固定されている。
【００４７】
まず、操作者が、図１に示す画像記録装置１０１の操作部１１２を操作して、プレートのサイズを入力する。画像記録装置１０１は、この入力を受けると、制御部１１１は、図４に示す駆動部４１１に作動板３１１をドラムの中心方向に移動させる。この後の動作を、図４（ａ）を使用して説明する。
【００４８】
作動板３１１の動きに伴って第３の外歯車３２２もドラムの中心方向に移動し、内歯車３３３から離れる。また、作動板３１１の動きに伴って、固定部材３１７もドラムの中心方向に動こうとする。さらに、固定部材３１７の動きに伴って、スプリング３３１、３３２が圧縮され、この反発力で第１の外歯車３２１および第２の外歯車３２３を穴部３１８、３２０の長軸方向に夫々押圧する。この力を受けた第１の外歯車３２１および第２の外歯車３２３は第３の外歯車３２２の中心方向に対して若干離れるので、第３の外歯車３２２はドラムの中心方向へ容易に移動できる。このようにして、図４(ａ)に示すように、第３の外歯車３２２がドラムの中心方向に動き、内歯車３３３から離れる。この結果、第１の外歯車３２１および第２の外歯車３２３は、内歯車３３３に噛合しながら回転することができるようになる。
【００４９】
次に、図２に示すリアクランプバー２０２をプレートサイズに応じた位置に移動するために、制御部１１１は、駆動部４１１により図２に示すクランプ保持部材２０３をドラム軸２０４を中心に回転させる。駆動部４１１は、機械的もしくは電気的に作動板３１１を移動するものである。このときの動作について図４（ａ）を使用して説明する。
【００５０】
クランプ保持部材２０３を時計周り（矢印４０１方向）に回転する。この回転に伴って、第２の外歯車３２３が内歯車３３３の内側に沿って反時計周り（矢印４０２）に沿って回転しながら移動する。第２の外歯車３２３の回転は歯車を介して第３の外歯車３２２に伝えられ、第３の外歯車３２２は時計周り（矢印４０３）に回転しながら移動する。第３の外歯車３２２の回転は歯車を介して第１の外歯車３２１に伝えられ、第１の外歯車３２１は反時計周り（矢印４０４）に回転しながら移動する。このようにして、クランプ保持部材２０３を回転し所望の位置に配置する。なお、上記説明の反対の力でクランプ保持部材２０３は反時計周り回転することもできる。
【００５１】
所望の位置へのリアクランプバー２０２の配置が終了すると、制御部１１１は、駆動部４１１に作動板３１１をドラムの中心方向と反対方向に移動させる。この場合も、先に説明したように外歯車３２１、３２３が外歯車３２２に対して若干離れる。このため、外歯車３２２のドラムの中心方向と反対側への移動が容易になる。このようにして、第３の外歯車３２２は、図４（ｂ）に示すように、内歯車３３３に噛合する。以下、図４（ｂ）を使用して、この後の動作について説明する。
【００５２】
この状態で、クランプ保持部材２０３が反時計周り（矢印４０５）に回転しようとすると、第１の外歯車３２１が内歯車３３３との噛合部から反時計周り（矢印４０６）に回転する力を受ける。同様に、第３の外歯車３２２も内歯車３３３との噛合部から反時計周り（矢印４０７）に回転する力を受ける。さらに、これと同時に第３の外歯車３２２は第１の外歯車３２１との噛合部から時計周り（矢印４０８）に回転する力を受ける。また、第１の外歯車３２１も第３の外歯車３２２との噛合部から時計周り（矢印４０９）の力を受ける。また、これと同時に第２の外歯車３２３も反時計周り（矢印４１０）に回転しようとする力を内歯車３３３との噛合部から受ける。さらに、同時に、第２の外歯車３２３も第３の外歯車３２２との噛合部から、時計周り（矢印４１１）の力を受ける。以上のようにして、外歯車３２１〜３２３は、同時に時計周りの力と反時計周りの力とを受ける。このため、外歯車３２１〜３２３は、どちらの方向にも回転できず固定される。また、外歯車３２１〜３２３および内歯車３３３は互いに噛合しているので、お互いずれて回転しないので、確実に固定される。
【００５３】
逆に、この状態で、クランプ保持部材２０３が時計周り（矢印４１２）の方向に回転しようした場合も、上述した反時計周りの場合と同様に、外歯車３２１〜３２３は、同時に時計周りの力と反時計周りの力とを受ける。このため、外歯車３２１〜３２３は、どちらの方向にも回転できず固定される。
【００５４】
このようにして、クランプ保持部材２０３を固定し、図２に示すリアクランプバー２０２をドラム外周面部の所望の位置に固定する。
【００５５】
次に、画像記録装置１０１は、固定したリアクランプバー２０２にプレートを固定して、ドラム１０２を回転し記録動作をする。
【００５６】
上記説明のように、ドラム１０２の両側にドラム１０２の回転軸を軸として回転可能に取り付けられたクランプ保持部材２０３を回転させることにより、リアクランプバー２０２をドラム１０２の外周面部上の任意の位置に移動し、プレートの他端部を任意の位置で固定できるので、複数のサイズのプレートをドラム１０２に確実に装着できる。
【００５７】
また、クランプ保持部材２０３は内歯車３３３の歯車の数の２倍の固定位置を有することができる。このため、ドラム１０２に対してクランプ保持部材２０３の固定位置を細かく設定できる。この結果、あらゆるサイズのプレートをドラム１０２に保持できる。また、クランプ保持部材２０３の回転および固定は外歯車３２１〜３２３および内歯車３３３によって決められるため、画像記録装置１０１を小型化できる。さらに、画像記録装置１０１を小型化できるので、ドラム１０２を無理なく高速に回転させることができ、またコストを抑えることもできる。
【００５８】
さらに、上記実施の形態のような大きさに外歯車３２１〜３２３をすることで、外歯車３２２は外歯車３２１、３２３に対して常に噛合した状態で、内歯車３３３に対して容易に噛合したり、離れたりすることができる。
【００５９】
なお、本実施の形態では、３つの外歯車を使用したが、４つ以上の外歯車を使用して、本実施の形態で説明した３つの外歯車と同様の動作をさせても良い。また、外歯車は平歯車でなく、かさ歯車等でも良く、外歯車を同一平面内で噛合するのではなくて立体的に噛合してもよい。
【００６０】
また、本実施の形態では、作動板３１１を制御部１１１によって移動する形態を採ったが、手動で移動する形態を採っても良い。
【００６１】
【発明の効果】
以上説明したように、本発明によれば、複数のサイズのプレートに対応して、プレート固定部材をドラム外周面部を動かせるようにすることで、ドラムに複数のサイズのプレートを確実に固定できるようにした画像記録装置を提供できる。
【図面の簡単な説明】
【図１】  本発明の一実施の形態にかかる画像記録装置を示す斜視図
【図２】  上記実施の形態にかかる画像記録装置のドラムを示す斜視図
【図３】  上記実施の形態にかかるクランプバー保持部材近傍を示す要部拡大図
【図４】  （ａ）  上記実施の形態にかかるドラム端部の第１の状態をドラム側から見た要部拡大図
（ｂ）  上記実施の形態にかかるドラム端部の第２の状態をドラム側から見た要部拡大図
【符号の説明】
１０２  ドラム
１０７  吸引部
２０１  フロントクランプバー
２０２  リアクランプバー
２０３  クランプ保持部材
２０４  ドラム軸
３０６，３２９〜３３２    スプリング
３１１  作動板
３２４  歯車保持部材
３２１〜３２３  外歯車
３３３  内歯車
【図１】
0003683437.tif 000002
【図２】
0003683437.tif 000003
【図３】
0003683437.tif 000004
【図４】
0003683437.tif 000005